(57)【要約】【課題】本発明は、上からの衝撃に強く、簡単に製造できる折畳みヘルメットを提供する。【解決手段】ヘルメットが上下に複数に分割され、分割されたなかで一番下にある下帽体１とその他の分割部２と、その他の分割部２が、下帽体１の上から内側へ、又は内側から上へと、下帽体１の外側を経て、回動自在とする紐３と、隣接した分割部を係合分離可能にする結合手段４を有し、組立て状態において、隣接する分割部のなかで上にある分割部の頭の入口側の縁部下向き面５が、下にある分割部の頂側の縁部上向き面６に当接している、折畳みヘルメット。【選択図】図３
2019194375.tif 000002
【特許請求の範囲】
【請求項１】
ヘルメットが上下に複数に分割され、分割されたなかで一番下にある下帽体１とその他の分割部２と、その他の分割部２が、下帽体１の上から内側へ、又は内側から上へと、下帽体１の外側を経て、回動自在とする紐３と、隣接した分割部を係合分離可能にする結合手段４を有し、組立て状態において、隣接する分割部のなかで上にある分割部の頭の入口側の縁部下向き面５が、下にある分割部の頂側の縁部上向き面６に当接している、折畳みヘルメット。
【発明の詳細な説明】
【技術分野】
【０００１】
本発明は、作業用、運転用、スポーツ用、防災用などの折畳みヘルメットに関する。主に、自転車用として有用な折畳みヘルメットに関する。
【背景技術】
【０００２】
人間の頭部を衝撃から保護することを目的として、人間の頭部に着用される種々のヘルメットが既に普及している。また、不使用時に、着用者が折り畳んだり縮めたりして格納することによって小型化することが可能な折り畳み式ヘルメットが既に提案されている。
【０００３】
例えば、特開２００４―８４１４５には、上下に２分割され、上部分が下部分との係合をはずれ、下部分の内側に落ちる形式の折り畳みゴーグルヘルメットが開示されている。
【０００４】
また、特許６０２６４２１号には、主に自転車用として、ヘルメットを構成する各パネルが隣接するパネルとヒンジ接続され、左右から押し畳む圧潰可能ヘルメットが開示されている。
【先行技術文献】
【特許文献】
【０００５】
【特許文献１】特開２００４−８４１４５公報
【特許文献２】特許６０２６４２１号公報
【発明の概要】
【発明が解決しようとする課題】
【０００６】
しかし、特開２００４-８４１４５公報に開示された折畳みヘルメットは、構造は簡単ではあるが、上部分が下部分の内側に落ちる形式であるため、上からの衝撃に弱い。また、特許６０２６４２１公報に開示のヘルメットはヒンジ接続部分が多く、製造に手間がかかる。本発明は、上からの衝撃に強くかつ簡単に製造できる折畳みヘルメットを提供する。
【課題を解決するための手段】
【０００７】
即ち、本発明は、ヘルメットが上下に複数に分割され、分割されたなかで一番下にある下帽体１とその他の分割部２と、その他の分割部２が、下帽体１の上から内側へ、又は内側から上へと、下帽体１の外側を経て、回動自在とする紐３と、隣接した分割部を係合分離可能にする結合手段４を有し、組立て状態において、隣接する分割部のなかで上にある分割部の頭の入口側の縁部下向き面５が、下にある分割部の頂側の縁部上向き面６に当接している、折畳みヘルメットである。
【０００８】
本発明は、頭の入口側を下とし、頂側を上としたとき、ヘルメットが上下に複数分割されている。分割数が増えれば、よりコンパクトになるが、折畳みの手間もかかるので、２分割、あるいは３分割が適当である。
下帽体１とその他の分割部２は、ポリカーネートやＡＢＳ樹脂のような硬質の合成樹脂、また、衝撃を吸収するための発泡スチロールのような軟質の合成樹脂からのみなっていてもいいし、硬質の合成樹脂の内側に衝撃を吸収するための発泡スチロールのような軟質の合成樹脂があってもいい。
【０００９】
ヘルメットの上下の分割位置は、その他の分割部２が下帽体１の上から内側へ、又は内側から上へと下帽体１の外側を経て回動するように適宜決めうる。
下帽体１には、通常、汗止め、あご紐、ヘッドバンドなど公知の内装部品を着脱自在に適宜設けることができる。
【００１０】
紐３は、組立て状態、折畳み状態にかかわらず、常時、下帽体１とその他の分割部２に固定され、下帽体１とその他の分割部２をつないでいる。そして、その他の分割部２が下帽体１の上から内側へ、又は内側から上へと、下帽体１の外側を経て、回動する際、下帽体１とその他の分割部２が離れすぎないように回動のガイドの役割をする。また、組立て状態においては、隣接する分割部同士が動かないように固定する役割をしてもいい。
【００１１】
紐３の長さ、紐３の下帽体１の固定位置、紐３のその他の分割部２の固定位置は、その他の分割部２が下帽体１の上から内側へ、又は内側から上へと、下帽体１の外側を経て、回動するように適宜設定される。組立て状態において、紐３が適度に緊張しているように設定されるのが好ましい。
【００１２】
また、材質は、適宜選べばよく、例えば、繊維でも可撓性を有するプラスチックでもいい。また、その断面形状も円、楕円、方形など特に限定されない。
結合手段４は、隣接した分割部を係合分離可能にすることができるものであればよく、公知のものが適宜使用されていい。隣接した分割部とは、下帽体１とそれに隣接するその他の分割部２、あるいは、隣接しているその他の分割部２同士である。
【００１３】
例えば、図１３に示すように差込式のバックル式でもいい。他の分割部２の頭の入口側の縁部下向き面に下向けに雄の係合部４１がついており、下帽体１の頂側の縁部上向き面に雌の係合部４２が係合部４１に対向してついている。雄の係合部４１のサイドの両側を指で押すと係合がはずれる。
【００１４】
また、図１４に示すレバー式のものでもいい。下帽体１に取り付けられた台座４３と、台座４３のピン４４を中心に回動自在なレバー４５と、レバー４５に設けられかつピン４６を中心に回動自在な継手４７と、継手４７に連結するフック４８とフック４８を係止する、他の分割部２に取り付けられた係止部４９とからなる。レバー４５が矢印Ａ方向に移動すると結合状態が解除される。
【００１５】
また、図１５に示すフック式のものでのいい。他の分割部２の側面の一部が下に出張った出っ張り部分４１０を有し、その先端が下に鋭角を有する三角状突起４１１となっている。下帽体１の側面の一部は出っ張り部分４１０に対応し、内側にへこんだへこみ部４１２を有する。へこみ部４１２には、三角状突起４１１がひっかかる孔４１３があり、これにより、他の分割部２と下帽体１は係合される。係合を解除する場合は、内側から三角状突起４１１を押し出せばいい。
【００１６】
本発明の折畳みヘルメットは、組立て状態において、隣接する分割部の上にある分割部の頭の入口側の縁部下向き面５は、下にある分割部の頂側の縁部上向き面６に当接している。そのことに、より上から衝撃があっても、上の分割部が下に落ち込むということがない。
隣接する分割部が当接する部分には、嵌め合せのための凹凸があってもいい。凹凸により雨の浸入が阻止される。
【発明の効果】
【００１７】
本発明の折畳みヘルメットであれば、簡単に製造できる。
【図面の簡単な説明】
【００１８】
【図１】図１は、本発明の一つの例の折畳みヘルメットの組立て状態の斜視図である。
【図２】図２は、図１の矢印で示す線における断面図である。
【図３】図３は、本発明の一つ例の折畳みヘルメットが折畳まれる途中の斜視図である。
【図４】図４は、図３の矢印で示す線における断面図である。
【図５】図５は、本発明の一つの例の折畳みヘルメットが折畳まれた状態の斜視図である。
【図６】図６は、図５の矢印で示す線における断面図である。
【図７】図７は、本発明の別の例の折畳みヘルメットの組立て状態の斜視図である。
【図８】図８は、図７の矢印で示す線における断面図である。
【図９】図９は、本発明の別の例の折畳みヘルメットが折畳まれる途中の斜視図である。
【図１０】図１０は、図９の矢印で示す線における断面図である。
【図１１】図１１は、本発明の別の例の折畳みヘルメットが折畳まれた状態の斜視図である。
【図１２】図１２は、図１１の矢印で示す線における断面図である。
【図１３】図１３、固定手段４の一例である。
【図１４】図１４は、固定手段４の別の例である。
【図１５】図１５は、固定手段４のさらに別の例である。
【発明を実施するための形態】
【００１９】
以下、図面を参照しながら、本発明の実施例について説明する。
【実施例１】
【００２０】
図１は、本発明の一つの例の折畳みヘルメットの組立て状態の斜視図である。本実施例では、ヘルメットが２分割されている。１は下帽体、２はその他の分割部、３は、紐で本実施例では下帽体１とその他の分割部２とを繋ぐ紐が２本ある。本実施例では、下帽体１とその他の分割部２は、硬質の合成樹脂の内側に衝撃を吸収するための発泡スチロールが一体成型されたものとなっている。
【００２１】
図２は、図１の矢印で示す線における断面図である。
４は、下帽体１とその他の分割部２を係合分離可能にする、右側面につけられた結合手段である。２本の紐３の一端は、その他の分割部２の左側面の下縁部の硬質樹脂と発泡スチロールの間で固定接続され、下帽体１の左側面の外側を通り、左側面の下縁部の硬質樹脂と発泡スチロールの間に折り込まれ、固定接続されている。
【００２２】
図３は、本発明の一つの例の折畳みヘルメットが折畳まれる途中の斜視図である。その他の分割部２が結合手段４による下帽体１との係合をはずれ、その他の分割部２と下帽体１を繋ぐ紐３によりその他の分割部２の頂側が下帽体１の外側で下向けになっている状態である。５は、組立て状態において、その他の分割部２の頭の入口側の縁部下向き面である。６は、組立て状態において、下帽体１の頂側の縁部上向き面である。
【００２３】
図４は、図３の矢印で示す線における断面図である。４２は下帽体１の頂側上面に設けられた結合手段４の雌の係合部、４１はその他の分割部２の頭の入口側の下面に設けられた雄の係合部４１である。
【００２４】
図５は、本発明の一つの例の折畳みヘルメットが折畳まれた状態の斜視図である。その他の分割部２が紐３により下帽体１の上から外側、内側と回動し、下帽体１の内側に収まった状態になっている。
【００２５】
図６は、図５の矢印で示す線における断面図である。
以上、図１の組立て状態から図６の折畳まれた状態にいたる説明したが、図６の折畳まれた状態から図１の組立て状態にするには、逆をたどればいい。
【実施例２】
【００２６】
図７は、本発明の別の例の折畳みヘルメットの組立て状態の斜視図である。本実施例では、ヘルメットが３分割されている。１は下帽体、２はその他の分割部で、そのうち、上側を上帽体２１、下側を中帽体２２とする。３は、紐で本実施例では下帽体１と中帽体２２とを繋ぐ紐が２本ある。また、本図では見えないが下帽体１と上帽体２１を繋ぐ紐も２本である（図９を参照）。本実施例では、下帽体１とその他の分割部２は、硬質の合成樹脂の内側に衝撃を吸収するための発泡スチロールが一体成型されたものとなっている。
【００２７】
図８は、図７の矢印で示す線における断面図である。
４は、下帽体１と中帽体２２を係合分離可能にする、右側面につけられた結合手段、及び中帽体２２と上帽体２１を係合分離可能にする、左側面につけられた結合手段である。左側面にある２本の紐３の一端は、中帽体２２の左側面の下縁部の硬質樹脂と発泡スチロールの間で固定接続され、下帽体１の左側面の外側を通り、左側面の下縁部の硬質樹脂と発泡スチロールの間に折り込まれ、固定接続されている。また、右側面にある２本の紐３の一端は、上帽体２１の右側面の下縁部の硬質樹脂と発泡スチロールの間で固定接続され、中帽体２２と下帽体１の右側面の外側を通り、下帽体１の右側面の下縁部の硬質樹脂と発泡スチロールの間に折り込まれ、固定接続されている。
【００２８】
図９は、本発明の別の例の折畳みヘルメットが折畳まれる途中の斜視図である。上帽体２１が結合手段４による中帽体２２との係合をはずれ、上帽体２１と下帽体１を繋ぐ紐３により上帽体２１の頂側が下帽体１の外側で下向けにした状態になり、その後、中帽体２２が結合手段４による下帽体１との係合をはずれ、中帽体２２と下帽体１を繋ぐ紐３により中帽体２２の頂側が下帽体１の外側で下向けになっている状態である。５は、組立て状態において、その他の分割部２（上帽体２１と中帽体２２）の頭の入口側の縁部下向き面である。６は、組立て状態において、下帽体１の頂側の縁部上向き面である。
【００２９】
図１０は、図９の矢印で示す線における断面図である。４１は固定手段４の雄の係合部、４２は雌の係合部である。
【００３０】
図１１は、本発明の別の例の折畳みヘルメットが折畳まれた状態の斜視図である。図９の状態から中帽体２２が紐３により下帽体１の外側から内側と回動し、その後、上帽体２１が紐３により下帽体１の外側から内側と回動し、中帽体２２の内側に収まった状態になっている。
【００３１】
図１２は、図５の矢印で示す線における断面図である。
以上、図７の組立て状態から図１２の折畳まれた状態にいたる説明したが、図１２の折畳まれた状態から図７の組立て状態にするには、逆の方向をたどればいい。
【符号の説明】
【００３２】
１  下帽体
２  その他の分割部
２１  上帽体
２２  中帽体
３  紐
４  結合手段
４１  雄の係合部
４２  雌の係合部
４３  台座
４４  ピン
４６  レバー
４７  継手
４８  フック
４９  係止部
４１０  出っ張り部分
４１１  三角状突起
４１２  へこみ部
４１３  孔
５  縁部下向き面
６  縁部上向き面
【図１】
2019194375.tif 000003
【図２】
2019194375.tif 000004
【図３】
2019194375.tif 000005
【図４】
2019194375.tif 000006
【図５】
2019194375.tif 000007
【図６】
2019194375.tif 000008
【図７】
2019194375.tif 000009
【図８】
2019194375.tif 000010
【図９】
2019194375.tif 000011
【図１０】
2019194375.tif 000012
【図１１】
2019194375.tif 000013
【図１２】
2019194375.tif 000014
【図１３】
2019194375.tif 000015
【図１４】
2019194375.tif 000016
【図１５】
2019194375.tif 000017